(57)【要約】【課題】寝姿勢の人体の頭部及び頚部を極力理想的な形に支持し、使用感及び使い勝手が良く、ふっくらとした外観をもつ枕を提供する。【解決手段】枕本体１が、相対的に軟らかい軟質支持部１１と、相対的に硬い硬質支持部１２，１３からなり、この硬質支持部１２，１３が、枕本体１の上下面のうちの一方かつ平面投影形状における少なくとも一辺に沿って配置されている。このため、硬質支持部１２，１３が頚部の下側かつ下向きとなるように使用することによって、硬質支持部１２又は１３がその上を覆う軟質支持部１１の一部１１ａを介して頚部２ａを比較的高く支持する。また、硬質支持部１２，１３が上向きとなるように使用すれば、一方の硬質支持部が直接頚部２ａに当たるようにすることもできる。【選択図】図５
0003131886.tif 000002
【実用新案登録請求の範囲】
【請求項１】
枕本体が、相対的に軟らかい軟質支持部と、相対的に硬い硬質支持部からなり、この硬質支持部が、前記枕本体の上下面のうち一方かつ平面投影形状における少なくとも一辺に沿って配置されたことを特徴とする枕。
【請求項２】
枕本体が、上下に対向する一対の布地からなる本体袋に包蔵されたものであって、この枕本体における硬質支持部が、前記本体袋における一方の布地に縫製された内袋に充填された充填材からなり、前記枕本体における軟質支持部が、前記本体袋と内袋の間に充填された充填材からなることを特徴とする請求項１に記載の枕。
【請求項３】
硬質支持部が複数配置され、互いに略平行かつ互いに離間して延びることを特徴とする請求項１に記載の枕。
【請求項４】
複数の硬質支持部が、互いに異なる硬度に設定されたことを特徴とする請求項３に記載の枕。
【請求項５】
複数の硬質支持部が、互いにほぼ同じ硬度に設定されたことを特徴とする請求項３に記載の枕。
【請求項６】
軟質支持部及び硬質支持部の硬度差が、同一材料の充填密度の差によるものであることを特徴とする請求項１又は３に記載の枕。
【請求項７】
軟質支持部及び硬質支持部の硬度差が、材料の相違によるものであることを特徴とする請求項１又は３に記載の枕。
【請求項８】
硬質支持部の平面投影形状における内縁が湾曲又は屈曲していることを特徴とする請求項１又は３に記載の枕。
【請求項９】
硬質支持部の平面投影形状における内縁の湾曲又は屈曲が、この硬質支持部の幅を長手方向中央部で最も減少させる方向になされたことを特徴とする請求項８に記載の枕。
【考案の詳細な説明】
【技術分野】
【０００１】
本考案は、寝具に使用される枕であって、とくに、硬さの異なる部分を有するものに関する。
【背景技術】
【０００２】
就寝時の、枕による人体の頭部及び頚部の支持形状は、起立しているときの姿勢をそのまま９０度回転させた状態に保たれていることが理想的であるといわれており、近年、健康に対する関心の高まりによって、さまざまな構造の枕が考案されている。そのような従来の枕の一種としては、例えば下記の特許文献１のように、頚部を支持する部分に、硬めの素材を充填した小袋を内蔵したものが知られている。
【特許文献１】実用新案登録第２５４４９５５号公報
【０００３】
しかしながら、特許文献１に記載の枕は、その使用状態の図に示されるように、硬質素材が充填された部分に、頚部が直接当たってしまうので、必ずしも使用感が良いとは言えず、しかも図示の状態でしか使用できないものであった。
【考案の開示】
【考案が解決しようとする課題】
【０００４】
本考案は、以上のような点に鑑みてなされたものであって、その技術的課題は、寝姿勢の人体の頭部及び頚部を極力理想的な形に支持し、使用感及び使い勝手が良く、ふっくらとした外観をもつ枕を提供することにある。
【課題を解決するための手段】
【０００５】
上述した技術的課題を有効に解決するための手段として、請求項１の考案に係る枕は、枕本体が、相対的に軟らかい軟質支持部と、相対的に硬い硬質支持部からなり、この硬質支持部が、前記枕本体の上下面のうち一方かつ平面投影形状における少なくとも一辺に沿って配置されたものである。すなわちこの枕は、硬質支持部が頚部の下側かつ下向きとなるように使用することによって、この硬質支持部がその上を覆う軟質支持部の一部を介して頚部を比較的高い位置に支持するので、硬質支持部が直接頚部に当たらず、軟質支持部によって頭部をあまり持ち上げない姿勢で安定的に支持することができる。また、硬質支持部が上向きとなるように使用すれば、硬質支持部が直接頚部に当たるようにすることもできる。
【０００６】
請求項２の考案に係る枕は、請求項１に記載の構成において、枕本体が、上下に対向する一対の布地からなる本体袋に包蔵されたものであって、この枕本体における硬質支持部が、それぞれ前記本体袋における一方の布地に縫製された内袋に充填された充填材からなり、前記枕本体における軟質支持部が、前記本体袋と内袋の間に充填された充填材からなるものである。このようにすれば、硬質支持部及び軟質支持部が、枕内部で安定する。
【０００７】
請求項３の考案に係る枕は、請求項１に記載の構成において、硬質支持部が複数配置され、互いに略平行かつ互いに離間して延びるものである。このようにすれば、互いに離間した複数の硬質支持部の間で、頭部を安定的に支持することができる。
【０００８】
請求項４の考案に係る枕は、請求項３に記載の構成において、複数の硬質支持部が、互いに異なる硬度に設定される。このようにすれば、枕の向きを変えることで、頚部を支持する硬質支持部の硬さや高さを好みや体型に応じて選択することができる。
【０００９】
請求項５の考案に係る枕は、請求項３に記載の構成において、複数の硬質支持部が、互いにほぼ同じ硬度に設定される。このようにすれば、どの硬質支持部が頚部に当たってもほぼ同じ感触が得られるので、硬質支持部の位置関係を気にせずに使用することができる。
【００１０】
請求項６の考案に係る枕は、請求項１又は３に記載の構成において、軟質支持部及び硬質支持部の硬度差が、同一材料の充填密度の差によるものである。このようにすれば、軟質支持部と硬質支持部を同材質の材料からなるものとすることができる。
【００１１】
請求項７の考案に係る枕は、請求項１又は３に記載の構成において、軟質支持部及び硬質支持部の硬度差が、材料の相違によるものである。すなわち、一般的に枕の充填材として使用される材料から、柔軟性、重量、価格、通気性、吸湿性などを考慮して、種々の材料の組み合わせを選択することによって、軟質支持部と硬質支持部の任意の硬度差を設定することができる。
【００１２】
請求項８の考案に係る枕は、請求項１又は３に記載の構成において、硬質支持部の平面投影形状における内縁が湾曲又は屈曲しているものである。
【００１３】
請求項９の考案に係る枕は、請求項８に記載の構成において、硬質支持部の平面投影形状における内縁の湾曲又は屈曲が、この硬質支持部の幅を長手方向中央部で最も減少させる方向になされたものである。
【考案の効果】
【００１４】
本考案に係る枕によれば、一方の硬質支持部によって直接、又はその上を覆う軟質支持部の一部を介して頚部を比較的高く支持すると共に、互いに離間した複数の硬質支持部の間で、軟質支持部によって頭部をあまり持ち上げない姿勢で安定的に支持するので、頭部及び頚部を理想的な形で支持することができると共に、枕の向きを変えることで、異なる使用感が得られるので、使い勝手を向上することができる。
【考案を実施するための最良の形態】
【００１５】
以下、本考案に係る枕の好ましい実施の形態について、図面を参照しながら詳細に説明する。まず図１は、本考案に係る枕の斜視図、図２は、本考案に係る枕を図１と反対側から見た斜視図、図３は、図１におけるＡ−Ａ’断面図、図４は、本考案に係る枕の製造過程を示す斜視図である。
【００１６】
すなわち、この実施の形態による枕は、不図示の表布あるいは枕カバーが外装される枕本体１が、図１及び図２に示されるような外観を呈するものであって、人間の頚部から頭部にかけて支持可能な大きさを有する。この枕本体１は、図３に断面が示されるように、相対的に軟質の充填材からなる軟質支持部１１と、相対的に硬質の充填材からなる第一及び第二の硬質支持部１２，１３からなり、この第一及び第二の硬質支持部１２，１３が、枕本体１の上下面のうち一方（図３では枕本体１の下面）に沿って偏在した状態に配置されると共に、互いに略平行かつ互いに離間して延びている。
【００１７】
詳しくは、枕本体１は、図３及び図４に示されるように、上下に対向する一対の布地１４ａ，１４ｂを縫合した本体袋１４に充填され、この枕本体１のうち、第一及び第二の硬質支持部１２，１３は、本体袋１４における一方の布地１４ｂとこれに縫合した細長い一対の内布１５ａ，１６ａとで構成される一対の内袋１５，１６に充填され、枕本体１における軟質支持部１１は、本体袋１４と内袋１５，１６の間に充填されたものである。内布１５ａ，１６ａは、図４に示されるように、その長手方向両端をギャザー又はタック状に縫い縮めることによって、内袋１５，１６が立体的に縫製されている。また、軟質支持部１１の一部は、第一及び第二の硬質支持部１２，１３を充填した内袋１５，１６を覆うように充填されている。
【００１８】
軟質支持部１１及び第一、第二の硬質支持部１２，１３にはいずれも、好ましくはダウンとスモールフェザーの混合物からなる羽毛が用いられ、軟質支持部１１は、この羽毛を相対的に低密度で充填することによって低反発に設定してあり、第一及び第二の硬質支持部１２，１３は、羽毛を軟質支持部１１よりも高密度で充填することによって高反発に設定してあり、第一の硬質支持部１２と第二の硬質支持部１３も、羽毛の充填密度が互いに異なっていて、例えば第一の硬質支持部１２よりも第二の硬質支持部１３のほうが高反発に設定されている。また、軟質支持部１１は、第一及び第二の硬質支持部１２，１３に比較して羽毛におけるダウンの割合を多く（スモールフェザーの割合を少なく）することにより、軟らかな感触を得ている。
【００１９】
なお、軟質支持部１１としては、羽毛のほかにも、例えば羊毛あるいは合成繊維のわた、真綿、発泡ウレタンフォームのチップなどから選択することができ、第一及び第二の硬質支持部１２，１３としては、上述の羽毛、羊毛あるいは合成繊維のわた、真綿、発泡ウレタンフォームのチップのほか、そば殻、ビーズ、細断した合成樹脂パイプなどから選択することができる。そして、羽毛を用いる場合は、本体袋１４を構成する布地１４ａ，１４ｂや、内袋１５，１６を構成する内布１５ａ，１６ａは、極力、羽毛が通過しにくいもの（ダウンプルーフ生地）が選択される。
【００２０】
以上のように構成されたこの実施の形態による枕は、図３に示されるように、好ましくは、第一及び第二の硬質支持部１２，１３が下側となるようにして使用するものである。そしてこの場合、軟質支持部１１が相対的に上側になるので、図１に示されるように、全体的にふっくらとした外観となり、見た目が良い。
【００２１】
図５は、この実施の形態による枕を、第一及び第二の硬質支持部１２，１３が下側となるようにして、使用者が仰向けになって使用した例を示す説明図、図６は、同じく使用者が顔を横に向けた状態で使用した例を示す説明図である。
【００２２】
すなわち、図５に示される使用状態では、高反発の第一の硬質支持部１２が、それより軟らかい低反発の軟質支持部１１の一部１１ａを介して使用者２の頚部２ａを支持し、第一及び第二の硬質支持部１２，１３の間の位置で、低反発の軟質支持部１１によって、使用者２の後頭部２ｂを支持することになる。このため、頚部２ａが高反発の第一の硬質支持部１２によって比較的高い位置に支持され、後頭部２ｂが、低反発の軟質支持部１１によって頚部２ａよりやや低い位置に支持され、起立しているときの姿勢をそのまま９０度回転させた状態に近い自然な姿勢で支持されるので、寝心地が向上する。しかも、頚部２ａには硬質支持部１２が直接当たらず、軟質支持部１１の一部１１ａを介して支持されるため、感触が軟らかく、頚部２ａへの圧迫感がない。そして、後頭部２ｂが、第一及び第二の硬質支持部１２，１３の間で支持されるため、安定して支持される。
【００２３】
そして、図６に示されるように、図５の状態から、使用者２が顔を横に向けた場合は、頚部２ａが高反発の第一の硬質支持部１２によって比較的高い位置に支持され、顎の側部２ｃから側頭部２ｄにかけての部分が、低反発の軟質支持部１１によって頚部２ａよりやや低い位置に支持されるので、この場合も、自然な姿勢が維持される。
【００２４】
また、図５及び図６では、第一の硬質支持部１２が頚部２ａの下側になるようにした使用例を示したが、これとは逆に、第一の硬質支持部１２よりも更に高反発の第二の硬質支持部１３が頚部２ａの下側になるようにして使用することもできる。
【００２５】
次に図７は、この実施の形態による枕を、第一及び第二の硬質支持部１２，１３が上側となるようにして、使用者が仰向けになって使用した例を示す説明図である。すなわち、この図７に示される使用状態では、使用者２の頚部２ａ及び後頭部２ｂに対する枕本体１の支持力は、図５のようにして使用した場合と同等であるが、頚部２ａに高反発の第一の硬質支持部１２が直接当たるので、硬い感触を好む場合に好適である。また、より硬い感触を得る場合は、第二の硬質支持部１３が頚部２ａに当たるようにすれば良い。
【００２６】
なお、図示の実施の形態では、硬質支持部を一対設けたが、これには限定されず、１つ以上であれば良く、例えば図８に他の形態として例示したように、複数の硬質支持部１７を、枕本体１の外周部に配置したものなどが考えられる。この場合も、硬質支持部１７が、前記枕本体１の上下面のうち一方に沿って偏在するものであることは勿論である。
【００２７】
また、硬質支持部１２，１３（又は１７）の平面投影形状における内縁は、必ずしも直線状である必要はなく、湾曲又は屈曲したものであっても良い。そして、その湾曲又は屈曲の方向によって、枕本体１の中央部を両端部に比較して相対的に硬くする、もしくは軟らかくすることができ、その結果、利用者の好みによって、選択の幅を広げることができる。
【００２８】
図９は、その一例を、本考案に係る枕の更に他の形態として示すものである。すなわち、図９に示される形態においては、硬質支持部１２，１３の平面投影形状における内縁縫合部１２ａ，１３ａを、この硬質支持部１２，１３の幅を長手方向中央部で最も減少させる方向に湾曲させている。
【００２９】
ここで、例えば体を横向きにして寝た姿勢では、体を仰向けにして寝た姿勢に比べて枕は高いほうが寝心地が良く、また、寝返りによって横向きの寝姿勢になるときには、頭が枕の端部に偏った位置にあることが多い。そして、図９に示される形態によれば、枕本体１の中央部では硬質支持部１２，１３の幅が相対的に狭く、軟質支持部１１の幅が相対的に広くなっているので、使用者が体を仰向けにして頭を枕本体１の中央部に位置させて寝た状態では、後頭部が比較的低い位置に支持され、また、枕本体１の両端部では硬質支持部１２，１３の幅が相対的に広く、軟質支持部１１の幅が相対的に狭くなっているので、寝返りによって横向きの寝姿勢になった時は、枕本体１の端部に偏った位置へ変位した側頭部を、比較的高い位置に支持することになる。したがって、仰向けの寝姿勢でも、横向きの寝姿勢でも、心地よい使用感が得られる。
【図面の簡単な説明】
【００３０】
【図１】本考案に係る枕の斜視図である。
【図２】本考案に係る枕を図１と反対側から見た斜視図である。
【図３】図１におけるＡ−Ａ’断面図である。
【図４】本考案に係る枕の製造過程を示す斜視図である。
【図５】本考案に係る枕を、硬質支持部が下側となるようにして、使用者が仰向けになって使用した例を示す説明図である。
【図６】本考案に係る枕を、硬質支持部が下側となるようにして、使用者が顔を横に向けた状態で使用した例を示す説明図である。
【図７】本考案に係る枕を、硬質支持部が上側となるようにして、使用者が仰向けになって使用した例を示す説明図である。
【図８】本考案に係る枕の他の形態を示す平面図である。
【図９】本考案に係る枕の更に他の形態を示す平面図である。
【符号の説明】
【００３１】
１  枕本体
１１  軟質支持部
１２  第一の硬質支持部
１３  第二の硬質支持部
１４  本体袋
１５，１６  内袋
１７  硬質支持部
【図１】
0003131886.tif 000003
【図２】
0003131886.tif 000004
【図３】
0003131886.tif 000005
【図４】
0003131886.tif 000006
【図５】
0003131886.tif 000007
【図６】
0003131886.tif 000008
【図７】
0003131886.tif 000009
【図８】
0003131886.tif 000010
【図９】
0003131886.tif 000011